(57)【特許請求の範囲】
【請求項１】
繊維素材からなる不織布シートを、繊維の並びの方向と顔面の縦方向の向きと合わせ、顔面の額から両眼そして鼻部を覆うことができる上部のパック用シートと、
繊維の並びの方向に対して顔面の縦方向の向きを直角に合わせ口部から顎先端部分を経由して、喉部分までを連続して覆うことができる、左右下顎両片部の突端部から首元部分までを膨らませて結ぶ略翁形状の下部パック用シートの平面体に打ち抜き、上下２枚に分割されたセパレーツ型のパック用シートであって、
上部パック用シートの平面体のうち顔面対応部分には左右の鼻翼を結ぶ水平方向の切り込み線を入れ、この切り込み線を下端として鼻筋に沿ってハ字状或いは縦方向に走るミシン目状の切り込み線を複数列形成し、
左右の眼にそれぞれ対応した箇所には横長の楕円孔を、左右の目尻からこめかみにかけての部分に対応して波紋状に広がる複数本のミシン目状切り込み線をそれぞれ形成し、この左右の波紋状に広がる複数本のミシン目状切り込み線は目尻の端の上部及び下部を始点として、左右それぞれ波紋状に広がるミシン目状切り込み線の下部分から平面体の周縁直前を終端とした１本の直線の切り込み線で他と区分して、
且つ左右双方の波紋状に広がる複数本のミシン目状切り込み線の外側の打ち抜き縁部にはつまみ用の突出部をそれぞれ設け、
左右の頬部にそれぞれ対応した箇所には縦方向に延びる、平行した複数本のミシン目状切り込み線を設け、
パック用シートの外周縁部は額上部の両端から左右こめかみ縁を経て両頬部端そして人中の部位までを覆う形状とし、
下部パック用シートは口に対応した箇所には横長の楕円孔を形成し、これに連続して顎先端部分に対応した箇所には繊維の並びの方向と同じ横方向に延びる、平行する複数条のミシン目状切り込み線を設け、
左顎下裏を始点としてここから右斜め下方の喉元を横切り斜め右下方向へ伸びて平面体の左右の下顎両片部の突端部から喉部分に至る輪郭線が交わる手前を終端とした略Ｓ字の切り込み線を設け、
下部パック用シートの外周縁部は、人中から左右両頬部へ下顎両端部を経て喉部分までを覆う形状としたセパレーツ型パック用シート。
【請求項２】
繊維素材からなる不織布シートを、繊維の並びの方向と顔面の縦方向の向きと合わせ、顔面の額から両眼そして鼻部を覆うことができる上部のパック用シートと、
繊維の並びの方向に対して顔面の縦方向の向きを直角に合わせ口部から顎先端部分を経由して、喉部分までを連続して覆うことができる、左右下顎両片部の突端部から首元部分までを膨らませて結ぶ略翁形状の下部パック用シートの平面体に打ち抜き、上下２枚に分割されたセパレーツ型のパック用シートであって、
上部パック用シートの平面体のうち顔面対応部分には左右の鼻翼を結ぶ水平方向の切り込み線を入れ、この切り込み線を下端として鼻筋に沿ってハ字状或いは縦方向に走るミシン目状の切り込み線を複数列形成し、
左右の眼にそれぞれ対応した箇所には横長の楕円孔を、左右の目尻からこめかみにかけての部分に対応して波紋状に広がる複数本のミシン目状切り込み線をそれぞれ形成し、この左右の波紋状に広がる複数本のミシン目状切り込み線は目尻の端の上部及び下部を始点として、左右それぞれ波紋状に広がるミシン目状切り込み線の下部分から平面体の周縁直前を終端とした１本の直線の切り込み線で他と区分して、
且つ左右双方の波紋状に広がる複数本のミシン目状切り込み線の外側の打ち抜き縁部にはつまみ用の突出部をそれぞれ設け、
左右の頬部にそれぞれ対応した箇所には縦方向に延びる、平行した複数本のミシン目状切り込み線を設け、
パック用シートの外周縁部は額上部の両端から左右こめかみ縁を経て両頬部端そして人中の部位までを覆う形状とし、
下部パック用シートは口に対応した箇所には横長の楕円孔を形成し、これに連続して顎先端部分に対応した箇所には繊維の並びの方向と同じ横方向に延びる、平行する複数条のミシン目状切り込み線を設け、
左顎下裏を始点としてここから右斜め下方の首のほぼ中央部を横切り斜め右下方向へ伸びて平面体の左右の下顎両片部の突端部から首元部分に至る輪郭線が交わる手前を終端とした略Ｓ字の切り込み線を設け、
下部パック用シートの外周縁部は、人中から左右両頬部へ下顎両端部を経て首元部分までを覆う形状としたセパレーツ型パック用シート。
【請求項３】
下部パック用シートの左右両頬部や左右両顎片部のそれぞれの領域と略Ｓ字の切り込み線で隔てられた左右それぞれの喉部の箇所には不織布繊維の方向に沿って、横方向に延びる、平行した複数条のミシン目状切り込み線をそれぞれ形成した請求項１に記載のパック用シート。
【請求項４】
顔面から喉部までを略翁形状で覆うセパレーツ型パック用シートの外周縁部には、切り込み線先端の達する手前の縁部に楔形を施し、この楔形の最奥部には切り込み線先端を対応させる内側からの切り込み線と外側から対向する短い切り込み線を形成し、極僅かな幅の輪郭縁部を挟む請求項１又は３に記載のパック用シート。
【請求項５】
左右の目尻からこめかみにかけての部分に対応して、波紋状に広がる複数本  のミシン目状切り込み線をそれぞれ形成した目尻の端の下部と上部を始点として、平面体の周縁直前を終端とした２本の直線の切り込み線で他と区分する請求項１又は３に記載のパック用シート。
【請求項６】
左右の目尻からこめかみにかけて左右双方の波紋状に広がる複数本のミシン  目状切り込み線の外側の打ち抜きの縁部のつまみ用の突出部を上下にずらした請求項１又は３に記載のパック用シート。
【請求項７】
顔面から首元までを略翁形状で覆うセパレーツ型パック用シートの顔上部に対応する人中には鼻尖に対応する箇所に下方に向いた半円形状の凸部を設け、顔下部に対応する人中には鼻尖対応する半円形状で開け口を上方に向いた凹部を設けた請求項１又は３に記載のパック用シート。
【請求項８】
下部パック用シートの左右下顎両端の突端部を双方から引っ張るリフト機能をより向上させる為の口に対応した箇所に形成する孔部は、小さい横向きの楕円孔を横一列に複数個並べたものである請求項１又は３に記載のパック用シート。
【請求項９】
下部パック用シートの左右両頬部や左右両顎片部のそれぞれの領域と略Ｓ字の切り込み線で隔てられた左右それぞれの、喉部から首元部に至る箇所には不織布繊維の方向に沿って、横方向に延びる、平行した複数条のミシン目状切り込み線をそれぞれ形成した請求項２に記載のパック用シート。
【請求項１０】
顔面から首元部までを略翁形状で覆うセパレーツ型パック用シートの外周縁部には、切り込み線先端の達する手前の縁部に楔形を施し、この楔形の最奥部には切り込み線先端を対応させる内側からの切り込み線と外側から対向する短い切り込み線を形成し、極僅かな幅の輪郭縁部を挟む請求項２又は９に記載のパック用シート。
【請求項１１】
左右の目尻からこめかみにかけての部分に対応して、波紋状に広がる複数本  のミシン目状切り込み線をそれぞれ形成した目尻の端の下部と上部を始点として、平面体の周縁直前を終端とした２本の直線の切り込み線で他と区分する請求項２又は９に記載のパック用シート。
【請求項１２】
左右の目尻からこめかみにかけて左右双方の波紋状に広がる複数本のミシン  目状切り込み線の外側の打ち抜きの縁部のつまみ用の突出部を上下にずらした請求項２又は９に記載のパック用シート。
【請求項１３】
顔面から首元までを略翁形状で覆うセパレーツ型パック用シートの顔上部に対応する人中には鼻尖に対応する箇所に下方に向いた半円形状の凸部を設け、顔下部に対応する人中には鼻尖対応する半円形状で開け口を上方に向いた凹部を設けた請求項２又は９に記載のパック用シート。
【請求項１４】
下部パック用シートの左右下顎両端の突端部を双方から引っ張るリフト機能をより向上させる為の口に対応した箇所に形成する孔部は、小さい横向きの楕円孔を横一列に複数個並べたものである請求項２又は９に記載のパック用シート。
【発明の詳細な説明】
【技術分野】
【０００１】
本発明は不織布の素材を用いて、顔上部と、顔面下部から下顎先を加えて喉部まで、或いは顔面下部から喉部を経て首元までをそれぞれ連続させて（以下これらを顔下部と略称する）貼り付け、化粧の用法や医療雑貨の用法そして外界の刺激から肌を守る用法（以下これらをそれぞれの用法と略称する）の翁の顔形に似たる形状で、顔面下部から喉部や首元の間の縦方向に弾性回復機能を施した化粧用フェイスマスク（以下これらをパック用シートと略称する）に関する。
【０００２】
さらに詳しくは、パック用シートを不織布シートから打ち抜く際のシートの素材は、自然繊維で薬事法上定められた主原料の原料吸着率が低く一定期間内においても薬効の効果が安定している素材や貼り付けてフィットさせるための伸縮がみられる素材、或いは紫外線を反射させる素材（以下これらを繊維素材と略称する）を用いたものである。
【０００３】
繊維素材のシートを打ち抜く形状は、顔上部と顔下部と２枚に分割した形状であり、顔下部は２つのタイプのシートで構成されたセパレーツ型のパック用シートである。
【０００４】
顔上部のパック用シートの打ち抜きは、不織布繊維の並びの方向に顔面縦方向を合わせて、顔面縦方向に対して鼻部や頬部、目尻部の対応する箇所にミシン目状の切り込み線を施して打ち抜かれ、横方向に伸びる特性にフィットする機能が付加されることを特徴とする。
【０００５】
顔下部のパック用シートの打ち抜きは、不織布繊維の並びの方向に対して顔面下部から首元の縦方向の向きを直角に合わせて打ち抜いて、下顎に対応する箇所には不織布繊維の方向に合わせて横方向に平行した複数条のミシン目状の切り込み線を施し、顔面縦方向に伸縮する特性に左顎裏から喉部中央を経て右斜め下方向の顔下部の輪郭線直前を終端とする略S字に似たる切り込み線を施して、切り込み線で隔てた２片の左右互いのシート片部を和服の着付ける襟を重ね合わせて、弛みを省くが如く、縁部を引っ張り、なぞり貼りつけることで顔面下部から首元の間に弾力回復力を肌に体感させることを特徴とする。
【０００６】
更に顔下部のパック用シートには、不織布繊維の方向に合わせて横方向に平行したミシン目状の複数条の切り込み線を、左右の両頬部や左右両顎片部、下顎から喉部そして首元部の領域の略S字の切り込み線を隔てたそれぞれの両片部に施して、前記の貼り付け方法により顔面下部から首元の間には、より強い弾性回復力を肌に体感させるパック用シートとなることを特徴とする。
【０００７】
パック用シートに施す直線や曲線、ミシン目状の切り込み線或いはそれぞれを組み合わせた切り込み線（以下これらを切り込み線と略称する）は、貼り付けた際のフィット調整には機能をもたらし必要であるが、互いのシート片部による絡みは広げるのに手間暇がかかるので、容易に広げてスムーズに顔面に貼り付けるためには、貼り付ける際に切り離して貼り付け容易な機能を付加したパック用シートを構成することである。
【背景技術】
【０００８】
従来、美容成分を含んだ状態で、顔上部と顔下部の２つに分割されて、顔の下部には強い男性回復力を備えながら、折り返して密着安定させるための顎片部を設けて顔面上部と顔面下部の２枚に分け貼りつけられるフェイスマスクが使用されている。これらのフェイスマスクは、美容液の含浸やゲルを塗布（以下これらを薬液と略称する）し、不織布に調製した（以下これらを不織布と略称する）含水シートを素材として形成している。これらフェイスマスクは概ね両眼、鼻、口及び下顎から喉部を対抗する部分に切り欠き孔や切り込み線が施されている。
【０００９】
しかし従来の用法には、喉部の領域までや首元の領域部分までが加えられておらず美容の斑となることから問題であり、加齢や外界に刺激される顔面と喉部や首元部との美容の斑は一目瞭然で直ぐ分かり、皮膚組織や皮下組織が加齢や外界の条件で垂れ下がることは大敵なことであり、女性にとって自身を鏡に映すことや対面することに不自然さを感じるので、顔下部を引き上げながら額から首元までの全体をそれぞれの用法での効能効果を一度に期する解決策を講じることが必要である。
【００１０】
さらに、薬液を調製され折り畳まれた状態のシートを広げて顔面に貼り付ける際に、フィット調整するための長く切り込まれた線は機能もあるが、切り込み線での切り込まれた互いの片部による絡みが生じてシートを広げることや貼り付けることに手間暇がかかるので改善策が必要である。
【００１１】
続き、本発明の顔下部の異形の面を連続させて翁形状で密着そして安定した貼り付状態を保つことは、従来の薬液製剤では密着性悪く、パック用シートの重さや貼り付けながらの日常生活の動きから剥がれの問題が生じるので、パック用シートに密着性を高める切り込み線の機能を付加することや、不織布に調製する薬液の改良が必要である。
【００１２】
パック用シートは、不織布シートに輪郭及び切り欠き孔や切り込み線部を刃型で打ち抜くことによって作成される。
【先行技術文献】
【特許文献】
【００１３】
【特許文献１】特開２００９−１１７７１
【特許文献２】特願２０１０−１２５５４６
【発明の概要】
【発明が解決しようとする課題】
【００１４】
本発明が解決しようとする技術的な課題は、顔上部と顔下部は、不織布シートをパック用シートに打ち抜く方法を違えることや、接する肌に弾性回復力を体感させる機能や密着させてフィットさせる機能を付けること、不織布シートと薬液との相性をより良く改良し、顔下部は従来のパック用シートで容易に覆うことであり、従来容易にでき得なかった顔面下部から喉部までの領域、顔面下部から喉部を経て首元までの領域をそれぞれ翁形状で覆う２枚のシートに打ち抜いて、それぞれの用法にして同じ効能効果を一度に得られるパック用シートに構成することである。
【００１５】
引き続き、顔上部は不織布繊維の並びの方向に顔面縦方向の向きを合わせて打ち抜いたシートであり、顔下部は不織布繊維の並びの方向に顔面から首元の縦方向との向きを直角に合わせて打ち抜くシートによって、顔面下部から喉部や首元部の間に強い弾性回復力を接する肌に体感させることを特徴としたパック用シートに構成することである。
【００１６】
更に、打ち抜かれたフェイスマスクシートの内側から外側方向への輪郭線を裁ち切る単数或いは複数本の切り込み線は、貼り付けた際のフィット調整には必要な機能であるが、互いのシート片部による絡みは広げるのに手間暇がかかるので、薬液を調製され折り畳まれた状態からシートを容易に広げてスムーズに顔面に貼り付けるためには、輪郭線は切り込み線で裁ち切らず連続した状態であって、貼り付ける際に切り離しが容易な幾種かの切り込み線と切り残し部位の改良を成したパック用シートに構成することである。
【課題を解決するための手段】
【００１７】
前記課題である顔上部と顔下部のパック用シートを構成するための本発明は、顔の上部は不織布シートの繊維の縦方向に顔の縦方向を合わせて打ち抜き、顔下部は不織布シートの繊維の縦方向に顔の縦方向を直角に合わせて打ち抜いて構成することを特徴としており、パック用シートはセパレーツ型であり、顔上部のパック用シートは１つのタイプで構成されて、顔下部は顔面下部から喉部までと顔面下部から首元部までの２つのタイプのそれぞれのパック用シートで構成されることを特徴として、加えて薬液は粘着性の相性をより改良した処方構成とする。
【００１８】
顔の上部に対応するパック用シートの機能をより高める構成は、不織布シートが横方向に伸びる特性にミシン目状の切り込み線の機能を付加することであり、不織布シートの繊維の縦方向にミシン目状の切り込み線を合わせて、鼻部や左右それぞれのこめかみ部、左右それぞれの頬部の対応する箇所に「ハ」字状や縦方向に走る複数列のミシン目状の切り込み線を配し、不織布シートの繊維がスリットされているので、横方向になぞることや引っ張ることで、施された部位が個々の状況に応じて伸び広がるので、対応する鼻部の凸部や小鼻の溝部そして接する肌に引っ張り感や持ち上がり感そしてフィット感を与える構成とする。
【００１９】
顔面下部の下顎部から喉部、下顎部から喉部を経て首元部のそれぞれ連続した異形の面を翁形状で覆い、弾性回復力を接する肌に体感させる形態には、不織布の繊維の方向に顔面縦方向を直角に合わせて打ち抜いて、顎中央部には横方向に平行したミシン目状の切り込み線を複数条施し、下顎裏から喉部や首元部の連続した領域に略Ｓ字の切り込み線を顔面下部から喉部は左顎裏下の部位から喉中央部を経て右斜め下の喉部輪郭部手前に終端し、顔面下部から喉部を経て首元部は左顎下裏の部位から喉中央部を経て斜め右下方向の右首元輪郭部手前に終端してそれぞれ設け、切り込み線を隔てた左右それぞれの片部を和服の着付ける襟を重ね合わせて、シートの弛みを省くが如く、不織布の伸びる顔面縦の方向になぞることや引っ張ることで、接する肌に弾性回復力が加わる構成となるものである。
【００２０】
上記に加えて、更に強い弾性回復力を肌に体感させる形態は、左右それぞれの両頬部や顎両端部、略S字の切り込み線で隔てた左右の両片部の上下の領域の横方向に平行した複数条のミシン目状の切り込み線を左右それぞれの喉部や首元部に複数条を設けることは、不織布の伸びる方向になぞることや引っ張る力が加わることで、不織布が顔面縦の方向に伸びることと、対応した箇所に施された複数条のミシン目状の切り込み線が繊維をスリットしていることからよりよく伸び広がって、接する肌の顔面縦方向により強い弾性回復力機能を備えたパック用シートとなるものである。
【００２１】
顎中央部に対応する箇所には不織布の繊維の方向に合わせた横方向に複数条のミシン目状の切り込み線を施しており、左右それぞれの両端顎部のシート片を引き上げることで、不織布が顔面縦方向に伸び広がることとミシン目状の切り込み線が繊維をスリットしていることが相俟って、対応する個々の下顎の形状に沿って上下に伸び開き顎をホールドする形状となり、すなわちリフト機能となる力の支点となって、左右両頬部から喉部や首元の領域の接する肌にリフティングを体感できる構成となる。
【００２２】
また肌へのフィット感やリフト感をより強くする方法には、複数列のミシン目状の切り込み線を配した部分の端部を周囲のシートから、ミシン目状の切り込み線とは略直角の切り込み線で切り離し分けるとよりミシン目は伸び広がるので、左右それぞれのこめかみの領域や左右それぞれの頬部の領域に切り込み線を入れて、且つ伸びる方向の縁には引っ張り伸ばすためのつまみ用の突出部や突端部或いは膨らむ曲線のつかみ代を設けた構成とする。
【００２３】
切り込み線を設けたことでの互いのシート片部による絡みを無くし、広げるのに手間暇を必要としない構成には、パック用シートの内側から輪郭部に向かう切り込み線の先端が終端する手前の縁部に、切り離す目印となる凹や凸の半円或いは角状のノッチ形状を設け、対応させる部位に内側からの切り込み線と外側からの切り込み線の互いの先端を対抗させて、極僅かな１．５ｍｍ〜２ｍｍ幅程度の輪郭縁部を挟み、シートの材質や目付量によって多少の細工を必要とするが、指で容易に裁ち切ることができる仕組みを設ける構成とする。
【発明の効果】
【００２４】
本発明のパック用シートの効果は、額部から首元翁形状の領域に素早く貼り付け密着させて一度にして、顔上部は横方向にフィットさせて鼻部や小鼻の溝部などの凹凸を覆い、顔下部には略S字の切り込み線を施し貼りつけることで弾性回復力やリフト感を接する肌に体感出来て、更に不織布の繊維の横方向に平行した複数条のミシン目状の切り込み線を施すことによって、その対応する左右両頬部や両顎片部、喉部、首元部のそれぞれの箇所にはより強い弾性回復力を体感させる。
【００２５】
本発明のパック用シートは、化粧の用法の効能効果を凡そ１５分で斑なく一度にして期することが出来て、加齢や外界の影響による皮膚組織や皮下組織の垂れ下がりを防ぐことにも繋がることから、鏡に映る自分や対面することに対して余計な気を使うことが無いのと、首元までを見せられるファッションにも気軽に挑戦して着こなしが広がることは楽しみが増えることである。
【００２６】
美容方法は凡そ１５分間で美容の効能効果を期することができることに重ね、略Ｓ字切り込み線の左右のシート片部が重なり合うことにより、対応する肌への美容液が２倍となって、喉部から首元の接する肌は潤うので集中した美容の効果も得られる。
【００２７】
パック用シートが貼り付けられていることから、接する肌へは外界からの紫外線がブロックされている。紫外線カットの効果は季節や使用する場所によって異なるが、通常２０分程度で日焼けを引き起こす条件下では数時間の効果を期することができるので、紫外線の多い海辺や芝生の上では効果的であり、両眼抜きの孔がある場合はサングラスを着用することや口部を複数横並びの孔のパック用シートを使用すると日焼けの痕の有無が目立たない。
【００２８】
顔上半分と顔下半分から下顎部から喉部そして首元を覆うセパレーツ型は美容液のタイプを美容用法の効能効果の必要に応じて別々に組み合わせての商品開発がなされ、１個包装に２分室して使用することができ、一度の用法で個々に多目的となる効能効果が得られることは画期的である。
【００２９】
本発明は切り込み線を改良してスムーズに広げてリズミカルに貼り付けられるパック用シートであって、互いのシート片部の絡みがある場合の量産では、人手を借りて折り畳むことや機械で折り畳むことを問わず、切り込み線は輪郭線の手前に終端して施されていると、互いのシート片部での絡みが無くて作業適正が良く、量産スピードにおいての風の抵抗や機械の摩擦の抵抗にも勝り、機械が連続して折り畳める構成となることから、コストのダウンやパック用シートを積層してのお徳用商品の提供も可能となる。
【図面の簡単な説明】
【００３０】
【図１】本発明品で顔の上部と下部を覆うセパレーツ型のパック用シート
【図２】本発明品で図１を貼りつけて、弾性回復力を体感するパック用シートの使用例
【図３】顔上部を打ち抜く状況の平面図
【図４】顔下部を打ち抜く状況の平面図
【図５】顔下部の口元を横長の楕円孔で複数を横に配列したパック用シート
【図６】顔上部の眼に対応したフラップ仕様のパック用シート
【発明を実施するための形態】
【００３１】
本発明のパック用シートは、顔上部パック用シートと顔下部パック用シートの２つに分割して打ち抜いたセパレーツ型のタイプで、顔上部は不織布繊維の並びの方向と顔面縦方向との向きを合わせて平面体に打ち抜いて構成され、顔下部は不織布繊維の並びの方向に対して顔面縦方向の向きを直角に合わせて平面体に打ち抜いて構成されることを特徴とする。
【００３２】
本発明のパック用シートを構成する輪郭や切り欠き孔そしてミシン目状の切り込み線の仕様は、顔上部と顔下部とは抜き方法が違い別々に対応することが必要であり、不織布を構成する繊維素材の種類や製法そして目付量の小さい〜１００（ｇ/ｍｍ２）以下に応じて切り込むミシン目の間隔、全体線の長さ、複数列の本数、不織布シートの伸び方向の輪郭寸法を変えることが必要であって、不織布シートの強度が増すとミシン目の間隔を大きく開け、本数も増やす調整の様々になる。
【００３３】
本発明の具体例の繊維素材はコットンに伸縮があるポリエステルやポリエチレン或いはレーヨンで構成する不織布シートであって、シートの目付を６０（ｇ/ｍｍ２）にてそれぞれを平面体に打ち抜いて顔下部には２つのタイプを示し、前記不織布の伸びる横方向についての寸法は、コットン１００％スパンレースで目付を６０（ｇ/ｍｍ２）に比べると凡そ１３％減の寸法を目安に示す。
【００３４】
顔上部や顔下部の喉部や首元までを加えて結ぶセパレーツ型のパック用シートの大よその形態は、額の上部からほぼ顔面と顎先部分を経て喉元を加えて首元までの縦の領域を凡そ２８０ｍｍとして展開し、顔上半分の上部パック用シートと顔下部に分かれ、２つのタイプの顔面下部に下顎先両端片部から喉の部位を連続させて貼り付ける翁形状と顔面下部から喉部を経て首部までを連続させて貼り付ける翁形状に構成され、双方の翁形状は下部パック用シートの平面体である。
【００３５】
上部パック用シートの額上部から人中を覆うまでの顔面縦方向を１４１ｍｍとし、人中から左右両頬部そして左右こめかみ部を経て額の頭髪生え際に沿って中央部を結び、横方向の片方の頬部縁から人中を経てもう一方の頬部縁までの横幅方向を１７０ｍｍとする。
【００３６】
この平面体には、両眼に対応の切り欠く孔は長軸４０ｍｍ縦軸２０ｍｍの楕円孔を設け、両目尻横からこめかみの扇に似たる領域には波紋に似たる目尻から５ｍｍ、７ｍｍ、７ｍｍの間隔でミシン目状の切り込み線を設け、且つ波紋状に広がる複数本の弓状のミシン目状の切り込み線を目尻の端の上部と下部からそれぞれ２本の直線の切り込み線で挟んで他とシートを区分し、且つ左右双方の終端縁部にはつまみ用の突出部を設け、或いはシートをつまみ広げることをたやすくするために、上下に互いをずらして設けて、直線の先端は輪郭周辺直前を終端とする。
【００３７】
続いて、鼻翼から貼りつける目印となる半円に似たる凸部の鼻尖を経てもう一方の鼻翼の鼻下端部に対抗する水平方向の切り込み線を６０ｍｍ、すぐ真上に、顔の中心の立体三角形とする鼻部を覆う、シートにはほぼ台形の領域の上底２４ｍｍ下底６５ｍｍ高さ５０ｍｍ領域内には鼻筋の幅を真ん中にして両側の領域のそれぞれに縦方向や「ハ」字状に走る７本のミシン目状の切り込み線を設け、鼻下端部に対応する切り込み線と貼り付ける際に鼻尖に対応して目安となる６ｍｍ幅の中央先端部には半円に似たる形状を設ける。
【００３８】
左右両頬部の領域には横方向に３５ｍｍ、縦方向に３５ｍｍの略四角の領域には５ｍｍの等間隔で縦方向に平行して並ぶ６本のミシン目状の切り込み線を施し、小鼻の溝を押さえて頬部を斜め上に持ち上げて、膨らんだ曲線のつかみ代を耳方向に引っ張りながらフィットさせる。
【００３９】
顔下部パック用シートの人中には幅６ｍｍの半円に似たる凹部の貼り付ける目印を設けて左右両頬部から両顎片部を経て喉までの、顔面人中からの縦方向に覆う長さを１２５ｍｍとするので、打ち抜く寸法は伸縮を考慮して凡そ１１０ｍｍとし、横幅方向の顎片部突端部縁から口部を経てもう一方の顎片部突端部縁までを２１０ｍｍとする。
【００４０】
続き、顔下部パック用シートの人中に対応する箇所には幅６ｍｍの半円に似たる凹部の貼り付ける目印を設け左右両頬部から両顎片部を経て喉を加えて首元までの、顔面人中からの縦方向に覆う長さを１５５ｍｍとするので、打ち抜く寸法は伸縮を考慮して凡そ１３５ｍｍとし、横方向の顎片部突端部縁から口部を経てもう一方の顎片部突端部縁までを２２０ｍｍとする。
【００４１】
顔下部パック用シートの顔下半分から喉部までや顔下半分から首元部までの略翁形状の外周縁部は、鼻下人中から左右頬下部から左右下顎両片部を経て喉部を連続して結び、もう一方のタイプは鼻下人中から左右頬下部から左右下顎両片部を経て喉部そして首部を連続して結ぶものである。
【００４２】
口部に対応の切り欠き孔は長軸５５ｍｍ縦軸１６ｍｍの楕円孔を設ける。
【００４３】
顔下部のパック用シートは不織布繊維の方向に対して顔面縦の方向を直角に合わせて打ち抜いて、顔面下から喉部の間、顔面下から首元部の間に弾性回復力を体感させる構成と相乗してそれぞれにリフトアップを体感させる構成としている。
【００４４】
顔面下部から喉の部位、そして顔面下部に喉部を加えて首元の部位までを連続させて翁顔を広く密着させて覆い、顔面縦の方向に弾性回復力を体感させるシートの構成は、下顎左裏から斜め右下方のほぼ喉中央部を横切り右下方向へ伸びて翁顔の左右の両片顎から喉部に交わる輪郭線の手前を終端とし、或いは首元部に交わる輪郭線手前を終端とする略Ｓ字似たる切り込みの曲線を設ける構成とする。
【００４５】
リフトアップの構成には、パック用シートの左右双方の突端部は斜め上外方向に引っ張る構成とし、下顎中央部に対応する横方向１１０ｍｍ縦方向２５ｍｍの長方形には、ミシン目状の切り込み線を５ｍｍ間隔で横方向に平行して、顔面縦方向の上から７０ｍｍ、９０ｍｍ、１１０ｍｍ、９０ｍｍ、７０ｍｍ中央部にはより広がらせるためのミシン目状の切り込み線を横方向に長くして、顔面縦方向を中心にして５本を設け不織布の特性と複数条を施しているので、不織布繊維がスリットされていることから顔の縦方向に伸び広がって、下顎を包み込む形状となることからリフティングに対応する力の支点となる。
【００４６】
更に、より強い弾性回復力を体感させる構成は、ミシン目状のスリットが複数条に平行して凡そ５ｍｍ間隔で、左右双方の頬部には長さ５０ｍｍを５本、顔下部の略Ｓ字の切り込み線を隔てた左右のシートの両片部は、左対応の領域と右対応の領域は凡そ相似の関係であり、互いの領域の顔面縦の方向には、左右両端顎部から喉部までを結ぶ形状は４本、首元部までを結ぶ形状には７本をそれぞれ平行して設ける構成であり、不織布繊維がスリットされているのと不織布の横の方向すなわち顔面の縦方向に伸びる特性が相俟って、顔面下部から喉部や首元部のそれぞれの間に強い弾性回復力が接する肌に体感できるものである。
【００４７】
顔下部のパック用シートを下顎裏から首元の領域を貼り付ける際の、略Ｓ字に似たる切り込み線を隔てた左右それぞれのシート片部を密着そしてフィットさせてより弾性回復力を肌に体感させるための仕組みは、和服を着付ける胸元の互いの襟を交互にして合わせ引いて弛みを省くが如く、余分なシートを吸収させて、喉の部位を押さえて貼り付けながら、縦方向には平行したミシン目状の切り込み線を複数条設けているので、シートを伸ばしなぞり交互に貼り合わせて貼り付けることで、接する肌に体感させる形態を特徴とする。
【００４８】
本発明の顔上部や顔下部のパック用シートの平面体の外周縁部には、内側から外側方向に、それぞれ２０ｍｍから９５ｍｍの切り込み線を複数本施し、切り込み線先端の終端する手前の縁部に目印となる楔形状や凹凸の形状を設け、対応させる内側からの切り込み線と外側からの切り込み線の先端を対抗させて、極僅かな約１．５ｍｍ〜２ｍｍ幅ほどの輪郭縁部を挟み、シートの材質や目付量によって多少細工を必要とするが、指で容易に裁ち切ることができる構成としている。
【００４９】
これらパック用シートを使用する際の、折り畳まれたシートを手早く広げるには、縁部に設けられたそれぞれの引っ張るための突出部や突端部をつまんで広げると手早く広げられる効果があり、また左右対称に折り畳まれて重なり合う場合の双方の突出部は簡単に剥がし広げづらくなるので、従ってわずかに上下方向にずらせて突出相互が重ならないようにするとつまみが容易となる。
【００５０】
顔上部のパック用シートの両目尻からこめかみの皺や弛みを強制的にフィットさせる仕組みは、扇に似たる波紋状に広がる左右複数本の弓状のミシン目状の切り込み線を施した領域を、目尻の端の下部から直線で切り込み線を施して他と区分し、直線は若干放射状にて先端はつまみ用突出部の輪郭線手前に施し、或いは目尻の端の下部と上部に直線で領域に切り込み線を施して他と区分し、際に２本の切り込み線を施して、直線は放射状にて先端はつまみ用突出部の輪郭線手前に施して、引っ張る際は、連続する縁部を切り離し、つまみを外側横方向に引っ張ることで複数列のミシン目状の切り込み線を容易に伸び広がらせて強制的にフィット感を体感させる。
【００５１】
顔上部のパック用シートの両眼の個々に対応する領域の、美容の効能効果を得る用法にフラップ形状とするシート片部を切り込み線で切り抜いて設け、目頭付近から起点する切り込み線ともう一方の目尻付近から起点する切り込み線は互い平行して上まぶた付近まで上の方向に施して、そして互い上まぶた中央に向かい、つまみ用の突出形状を上部に形成し、切り込み線は突出形状の中ほどで交わらず互いを手前に施し、シートの貼り付ける際に切り外して顔面の反対側に倒し、シートの貼り付けを終えた最後に顔面外側に垂れ下げたフラップ状に切り込まれたシート片部を摘まんで、突出部を持ち上げながら上方向に貼りつける。また倒したままで使用することは、眼袋に対して倍量の化粧液の効果を期する。
【００５２】
本発明のフェイスマスクを形成する輪郭線が、裁ち切られた状態であってもそれぞれの用法の効能効果については問題としない。
【００５３】
顔上部のパック用シートの鼻部から左右両双方の頬部に連続してフィット感を体感させる構成は、鼻部のほぼ台形とする小鼻から鼻尖を経てもう一方の小鼻に至り、真上の目の目頭の部位に結びもう一方の目の目頭の部位に至り、真下の小鼻を結ぶほぼ台形の領域にハ字状や縦の方向に走るミシン目状の切り込み線を複数列に配して、左右の両小鼻からそれぞれ外方向に連続して頬部を覆うシートの３５ｍｍの略四角の形状内には縦方向で平行に並ぶミシン目状の切り込み線を６本施し、左右の縁部をそれぞれ横方向に引っ張ることで、小鼻の溝から頬の外側横方向にフィット感や持ち上げ感を体感させる。
【００５４】
パック用シートを貼り付けてフィットさせるための伸縮がみられる素材とは、自然繊維のコットンを大半量に対して伸縮する特性を有するポリエステルやポリエチレン、レーヨンを配合して不織布シートに加工したものである。
【００５５】
顔上部や顔下部のパック用シートの原料吸着を問わない製品種別については、汎用の安価な素材を用いて加工を行うことには何ら問題としない。
【００５６】
紫外線を反射させる或いは遮断させる効果を有する繊維素材とは、繊維に製剤をコーティングするか練り込ませたもので、不織布に適正に加工して薬事法上の安全性や安定性が確認できるものであり、不織布シートは刃型で打ち抜かれてパック用シートとなるものである。
【００５７】
肌に紫外線を到達させない製剤とは、液材、散剤、顆粒剤、ゲル剤で、不織布繊維に適正含浸或いは適正に塗布でき、薬事法上の安全性や安定性が確認されているものをいう。
【００５８】
顔下部のパック用シートの密着性やリフト感をより強くするための形状は、左右双方の突端部を引き上げると密着がよいが、口部に対応する楕円形の形状では口部が対応する楕円孔に当て嵌まり力の方向が止まるので、略縦長楕円或いは円孔を用いると引っ張りが良好で、本発明は顔面縦方向に伸ばすので、伸びると略正円となる略横長の凡そ高さ６ｍｍ幅１０ｍｍで複数の横長略楕円の孔凡そ５ｍｍ間隔を横一列にして口部の上を覆い引っ張り易い形状にして対応させる構成とする。
【００５９】
顔上部や顔下部のパック用シートは、薬液製剤を含浸又は塗布した状態で使用の１回分を薬事対応のバリヤー袋に封入して提供するが、複数回分の封入は袋や手間を省くので、コスト削減やコストを省いたお徳用商品もできる。
【００６０】
顔下部のパック用シートは二面体なので貼り付ける際に、シートの表裏を違えた場合の機能や効能効果には問題としない。
【実施例】
【００６１】
本発明の実施例の形態を顔上部と顔下部の上下２枚に分割されたセパレーツ型パック用シートに基づいて説明をする。
【実施例１】
【００６２】
顔上部のパック用シートは顔の横の方向に伸び広がる打ち抜きで構成されている。
【００６３】
折り畳まれたパック用シートを平面体に広げるには、突出部を摘まみながら広げると素早くスムーズに広げられて、両目尻の縁部辺りや突出部を持って両眼や中央部ほぼ台形の鼻部を目安に、シートを顔面の額部分から両眼の部位、鼻部、両頬部に徐々に載置して、輪郭線と内側から施された切り込み線の先端部である連続した部分を指で引き千切り、目尻部は目尻を抑えながら突出部を摘まみ外横の水平方向に引っ張ると、上から下方向の波紋状に切り込まれたミシン目状の領域の肌は強制的にフィットされ、鼻部も両指の腹で鼻部の鼻筋を挟み形状に沿ってなぞりながら小鼻の溝までもフィットさせて、頬部は小鼻の溝部を指先で抑えながら頬部の端を摘まんで、外横方向の少々頬部を持ち上げ気味に引っ張ると頬部は強制的に上がりフィットされる。
【００６４】
顔下部のパック用シートは顔面縦方向に伸び広がる打ち抜きで構成されている。
【００６５】
顔下部の下顎先両端片部から喉の部位そして首元の部位までを連続させたシートを突端部や首部の輪郭部を摘まみながら広げると素早くスムーズに広げられて、左右双方にある両突端部を持って口部に対応する切り欠き孔の横長楕円孔を目安に貼り付けて、頬骨の上を覆いかぶせて、下顎部には下顎先端部から両片端部に対応する横方向に平行して複数条に施されたスリットゾーンをあてがい、左右双方の両突端部を持ち上げると個々の下顎の形状に沿ってミシン目が上下に開いて広がり、下顎を包み込んでリフトアップ機能の力の支点となって接する肌に強いフィット感を体感させる。
【００６６】
喉部から首元部の大領域を覆いフィットさせるための略Ｓ字に似たる下顎左裏から斜め右下円弧の輪郭線手前に施される、スリット線の始点は下顎左裏からで、右斜め下方向に走り、下顎中央部と首部真ん中を結ぶ線を通り先部は、左右互いの円弧を描き輪郭線が交わる手前に終端し施されていて、スリット先端部と輪郭線が連続した輪郭部を指で千切り、略Ｓ字に似たるスリット線を境にして隔たる左スリット片部を下方向になぞりながらつかみ代を下方向に引きながら右横方向に密着させ、もう一方の右スリット片部を下方向になぞりながらつかみ代を下方向に引きながら左横方向に、左の片部に覆い被せる方法で密着させる、すなわち両喉部から首元部に密着して貼り付ける際の仕組みは、略Ｓ字に似たるスリットを境にした左右両シート片部が、和服を着付ける胸元の互いの襟を交互にして合わせ引いて弛みを省くが如く、シートの互い余分な弛みを吸収させて貼り合わせる形態とする。
【００６７】
最後に顔上部と顔面下部から首部までに連続して貼り付けたパック用シートの要所の弛みを省くために、両掌で顔や頬骨、頬部、下顎両片部、喉部そして首元部を抑えながら整え、要所の部位を指先で抑えて両目尻縁部や両頬部縁部、両下顎端部そして首部の円弧を描く縁部のシート片部のつかみ代や縁部を引っ張って、フィット感や顔面下部から首元の間の接する肌の縦方向に強い弾性回復力を体感させるパック用シートとなる。
【００６８】
セパレーツ型パック用シートの上部と下部との貼り付ける順序は特に順番を指定はしないが、下部の密着を固めリフト作業を行って、リフト感や弾性回復力を体感させながら貼り付けて、上部を覆いかぶせて互いを固定することが好ましい。
【符号の説明】
【００６９】
１    本発明品で顔上部パック用シートの一つの線で繋がった輪郭線縁部
２    両眼部に対応する切り欠き孔
３    こめかみ部の弓で波紋状のミシン目状切り込み線
４    鼻部のミシン目状の切り込み線
５    左右両頬部のミシン目状の切り込み線
６    左右両頬部の外側にあるつかみ代
７    鼻下端部に対応した切り込み線
８    口部に対応する切り欠き孔
９    下顎部に対応する横方向で複数条平行したミシン目状の切り込み線
１０  こめかみ部のつまみ用突出部分
１１  顔上部のパック用シートの鼻尖に対応する半円凸部の目印
１２  内側から外側輪郭部手前に終端するフィット調整の切り込み線
１３  輪郭線を切り離す凹凸や角状を設けた目印となる部位
１４  輪郭線を切り離すための外側から対向する切り込み線
１５  輪郭線手前に終端し施される内側と外側からの切り込み線先端が対向する隙間
１６  本発明品で顔下部パック用シートの一つの線で繋がった輪郭線縁部
１７  下顎両端部のつまみ用突端部分
１８  下顎左裏から喉部中央を経て斜め右下方向の円弧輪郭線手前に終端する略Ｓ字の切り込み線
１９  下顎から喉部までや首元部までを覆い、顔面縦方向に伸び広がるための横方向で平行した複数条のミシン目状の切り込み線を施した左領域
２０  下顎から喉部までや首元部までを覆い、顔面縦方向に伸び広がるための横方向で平行した複数条のミシン目状の切り込み線を施した右領域
２１  左領域を右下内で横方向に引っ張り密着させるためのつかみ代
２２  右領域を左下内で横方向に引っ張り密着させるためのつかみ代
２３  左領域と右領域に施された横方向で平行して並ぶ複数条のミシン目状の切り込み線
２４  下顎片部から喉部そして首部を連続した領域を深く覆う略翁形状の円弧の輪郭
２５  顔下部のパック用シートの鼻尖に対応する半円凹部の目印
２６  目の領域を覆い、シートを脱着できるフラップ形態の切り込み線
２７  フラップ先が摘まめる突出部
２８  不織布ロール
２９  不織布シートの繊維の並び方向
３０  不織布シートの横の方向
３１  略Ｓ字の切り込み線を境にした左のシート片部
３２  略Ｓ字の切り込み線を境にした右のシート片部
３３  略Ｓ字の切り込み線の始点
３４  略Ｓ字の切り込み線の終端点
３５  喉部や首元部の左右双方からの円弧の輪郭線が交わる点
３６  口部に対向する横一列の略横長楕円型の切り欠き孔
３７  左右両頬部に対応する横方向で複数条平行したミシン目状の切り込み線
３８  フラップ機能の互いの切り込み線の終端が対抗する隙間
【要約】      （修正有）【課題】従来容易にでき得なかった顔面下部から喉部、或いは顔面下部から喉部を経て首元部までの領域を覆うパック用シートの提供。【解決手段】顔下部パック用シートは繊維の方向に顔の縦方向を直角に合わせ打ち抜いて、顔面から下顎先両端辺部そして喉の部位、喉部を経て首元の部位までを連続した翁形で覆う。首部には、個人に対応して密着させるための、略Ｓ字に似たる切り込み線１８を下顎左裏から斜め下の右円弧の互いが交わる輪郭線手前に施して、互いのシート片部１９、２０を和服の襟元を合わすが如く弛みを省いて交互に貼り合わせ、ミシン目状の切り込み線９、２３、３７を横方向に平行して複数条設けて、不織布の横方向に伸びる特性と繊維をスリットすることが相俟って、互いを伸ばし貼り付けて縦方向に弾性回復力を体感させる。【選択図】図１【図１】
0004648499.tif 000002
【図２】
0004648499.tif 000003
【図３】
0004648499.tif 000004
【図４】
0004648499.tif 000005
【図５】
0004648499.tif 000006
【図６】
0004648499.tif 000007